(57)【要約】 【課題】  位置決めがしやすく、取付強度にも優れた仕切枠取付構造とする。【解決手段】  前面開口部２０の周面２１は、外箱１１と内箱１２の開口縁に突設されたフランジ１１Ａ，１２Ａの間が、合成樹脂製の接続枠２５で接続されて形成されているが、接続枠２５が長さ方向の中央部で分断され、枠本体２６の両分断端面２６Ａの間に所定幅の取付溝４５が形成される。仕切枠３０は、両端面に取付板５５を設けた金属製の前面枠５０の後面側に断熱材７０が配されて合成樹脂製のカバー６０が被着された構造であるが、前面枠５０の側面板５２の端部が、カバー６０の側面板６２の端部よりも突出していることで、段差部９０が形成される。この段差部９０が、取付溝４５内に緊密に嵌った状態とされる。前面枠５０の端部を取付溝４５に嵌めることで、正確に位置決めできる。また、回り止めがなされて、衝撃力に抗した強固な取付構造となる。【選択図】  図８
2006284064.tif 000002
【特許請求の範囲】
【請求項１】
金属製の外箱と内箱との間に発泡断熱材を充填することにより前面が開口した断熱箱体が形成され、この断熱箱体の前面開口部における対向した周面の間に仕切枠をわたして取り付けることにより前記前面開口部が仕切られた貯蔵庫であって、前記前面開口部の前記周面は、前記外箱と内箱の開口縁部の間が合成樹脂製の接続枠で接続されて形成されているとともに、前記仕切枠は、両端面に取付板を設けた金属製の前面枠の後面側に断熱材が配されて合成樹脂製のカバーが被着された構造であるものにおいて、
前記仕切枠の端部には、前記カバーの端部よりも前記前面枠の端部が突出した段差部が形成されているとともに、前記前面開口部の前記周面における前記仕切枠の取付位置では、前記接続枠が分断されて前記段差部が嵌る取付溝が形成されていることを特徴とする貯蔵庫の仕切枠取付構造。
【請求項２】
前記前面開口部の前記周面は、前記外箱と内箱との開口縁からフランジが間隔を開けた対向状に突設され、両フランジの間が前記接続枠で接続されることにより形成されており、また前記仕切枠の前記前面枠は、ほぼコ字形断面で後方に開口した形状であるとともに、前記カバーは、前記前面枠よりも一回り大きいほぼコ字形断面で前方に開口した形状であって、前記カバーが前記前面枠の後面開口から両側面を覆うようになっており、前記前面枠の両側面の端部を相対的に長くすることにより前記段差部が形成されていることを特徴とする請求項１記載の貯蔵庫の仕切枠取付構造。
【請求項３】
前記カバーには、その内部の奥側の領域に仕切壁で仕切られることにより複数の空気室が形成される一方、前記前面枠は前記カバーよりも奥行寸法が短く形成され、この前面枠が、前記カバー内における前記空気室よりも前の領域に嵌着され、前記前面枠と前記空気室との間に前記断熱材が配されることにより前記仕切枠が形成されていることを特徴とする請求項２記載の貯蔵庫の仕切枠取付構造。
【発明の詳細な説明】
【技術分野】
【０００１】
本発明は、冷却貯蔵庫等の貯蔵庫の前面開口部を仕切るべく仕切枠を取り付ける構造に関する。
【背景技術】
【０００２】
従来、冷蔵庫の仕切枠取付構造の一例として、以下のようなものが知られている。冷蔵庫本体を構成する断熱箱体は、金属製の外箱と内箱との間に発泡断熱材を充填することにより前面が開口した箱形に形成され、この断熱箱体の前面開口部における対向した周面の間に仕切枠をわたして取り付けることにより前面開口部が仕切られ、出入口が画成される。  
より具体的には、前面開口部の周面は、外箱と内箱の開口縁部の間が、合成樹脂製の接続枠で接続されて形成されている。一方、仕切枠は、コ字形断面で後方に開口しかつ両端面に取付板を設けた金属製の前面枠と、コ字形断面で前方に開口し前面枠よりも一回り大きい合成樹脂製のカバーと、発泡樹脂等によって予め角柱状に形成された断熱材とから構成されている。
【０００３】
そして、仕切枠の取り付けに際しては、まず前面枠を前面開口部の対向する周面の間に嵌め、取付板から接続枠を貫通したねじを外箱の開口縁部にねじ込むことで固定し、続いて前面枠内に断熱材が嵌められたのち、前面枠の後面開口から両側面を覆うようにカバーが被せられて固定されるようになっている。  
この種の仕切枠並びにその取付構造は、特許文献１に記載されている。
【特許文献１】特開平８−３５７６４号公報
【発明の開示】
【発明が解決しようとする課題】
【０００４】
しかるに従来のものでは、仕切枠の両端部が、前面開口部の周面すなわち合成樹脂製の接続枠にべた当たりされる構造であるため、まず前面枠を前面開口部の周面（接続枠）の間に嵌める際の位置決めが難しく、具体的には、作業者が庫内側から覗きつつ前面枠の取付板と接続枠とのねじの挿通孔同士を合わせるしか手段が無く、面倒であった。また取付後も、例えば仕切枠が出入口に配された扉の自由端を当てて受けるように機能する場合は、仕切枠の端部が摩擦抵抗の小さい接続枠に当てられた構造であるために、閉扉時に仕切枠に衝撃力が作用すると、例え複数箇所でねじ止めされていたとしても、同仕切枠が軸線回りに回転してねじ止め部分を損傷するおそれ等があり、さらなる改良が切望されていた。  
本発明は上記のような事情に基づいて完成されたものであって、その目的は、仕切枠の位置決めがしやすく、また取付強度にも優れた仕切枠取付構造を提供するところにある。
【課題を解決するための手段】
【０００５】
上記の目的を達成するための手段として、請求項１の発明は、金属製の外箱と内箱との間に発泡断熱材を充填することにより前面が開口した断熱箱体が形成され、この断熱箱体の前面開口部における対向した周面の間に仕切枠をわたして取り付けることにより前記前面開口部が仕切られた貯蔵庫であって、前記前面開口部の前記周面は、前記外箱と内箱の開口縁部の間が合成樹脂製の接続枠で接続されて形成されているとともに、前記仕切枠は、両端面に取付板を設けた金属製の前面枠の後面側に断熱材が配されて合成樹脂製のカバーが被着された構造であるものにおいて、前記仕切枠の端部には、前記カバーの端部よりも前記前面枠の端部が突出した段差部が形成されているとともに、前記前面開口部の前記周面における前記仕切枠の取付位置では、前記接続枠が分断されて前記段差部が嵌る取付溝が形成されている構成としたところに特徴を有する。
【０００６】
請求項２の発明は、請求項１に記載のものにおいて、前記前面開口部の前記周面は、前記外箱と内箱との開口縁からフランジが間隔を開けた対向状に突設され、両フランジの間が前記接続枠で接続されることにより形成されており、また前記仕切枠の前記前面枠は、ほぼコ字形断面で後方に開口した形状であるとともに、前記カバーは、前記前面枠よりも一回り大きいほぼコ字形断面で前方に開口した形状であって、前記カバーが前記前面枠の後面開口から両側面を覆うようになっており、前記前面枠の両側面の端部を相対的に長くすることにより前記段差部が形成されているところに特徴を有する。
【０００７】
請求項３の発明は、請求項１または請求項２に記載のものにおいて、前記カバーには、その内部の奥側の領域に仕切壁で仕切られることにより複数の空気室が形成される一方、前記前面枠は前記カバーよりも奥行寸法が短く形成され、この前面枠が、前記カバー内における前記空気室よりも前の領域に嵌着され、前記前面枠と前記空気室との間に前記断熱材が配されることにより前記仕切枠が形成されているところに特徴を有する。
【発明の効果】
【０００８】
＜請求項１の発明＞
仕切枠を組み付けるに際しては、まず前面枠が前面開口部の所定位置において対向する周面の間にわたされるが、そのとき段差部を構成する前面枠の延出された端部が、接続枠に形成された取付溝に嵌められ、取付板が外箱と内箱の少なくともいずれか一方の開口縁部で受けられてねじ止め等により固定される。そののち前面枠の後面側に断熱材が配され、さらに後面側からカバーが被せられて固定される。これにより、仕切枠の端部に段差部が形成され、この段差部が、接続枠の取付溝からその表面側の溝縁にわたって隙間無く嵌った状態となる。  
前面枠を取り付ける際、その端部を接続枠に形成された取付溝に嵌めるだけで、簡単に位置決めすることができる。また、仕切枠が取り付けられたのちは、端部の段差部が接続枠の取付溝に隙間無く嵌っているのであるから、見栄えも良くまた、例えば同仕切枠に対して扉開閉等に伴う衝撃力が加わった場合にも軸線回りに回ることが抑制され、ねじ止め部分等が損傷を受けることが防止される。
【０００９】
＜請求項２の発明＞
前面枠が前面開口部の所定位置において対向する周面の間にわたされる際、前面枠の延出された端部の両側面が、接続枠に形成された取付溝の両側面に挟まれるように嵌められ、取付板が外箱と内箱の少なくともいずれか一方のフランジで受けられてねじ止め等により固定される。前面枠の後面側に断熱材が配されたのち、カバーが被せられて固定され、ここでカバーの端部の両側面は短くなっているから、仕切枠の端部における両側面に段差部が形成され、この段差部が、接続枠の取付溝からその表面側の溝縁にわたって隙間無く嵌った状態となる。
【００１０】
＜請求項３の発明＞
カバー内の奥側の領域に形成された空気室が断熱室として機能し、その前方に配された断熱材と合わせて、仕切枠の前後面間の断熱性は確保される。また、前面枠の側面は、カバー内において奥行方向の途中位置までしか延びておらず、すなわち庫内から離間しているから、前面枠の側面を介した庫内外の熱伝導が小さく抑えられる。その結果、庫内外間の断熱効果が高められる。前面枠の側面が短くなったことで前面枠の剛性は低下するが、カバー内には、複数の空気室を形成するべく複数の仕切壁が形成されているから、カバー側の剛性が高められ、仕切枠全体としての強度は確保できる。
【発明を実施するための最良の形態】
【００１１】
＜実施形態＞
以下、本発明の一実施形態を添付図面に基づいて説明する。この実施形態では横型冷蔵庫を例示している。  
図１及び図２において、符号１０は、冷蔵庫本体を構成する断熱箱体であって、ともにステンレス鋼板等の金属板からなる外箱１１内に内箱１２が間隔を開けて収容され、両箱１１，１２の間の充填空間１３内に発泡ウレタン等の発泡樹脂からなる断熱材１４を発泡充填することによって、前面に開口した横長の箱形に形成されている。この断熱箱体１０の内部が冷蔵室１５とされ、底面の四隅に配された脚１６によって支持されている。  
断熱箱体１０の前面開口部２０の周面２１を構成する部分では、図３に示すように、外箱１１と内箱１２の開口縁に、それぞれフランジ１１Ａ，１２Ａが直角曲げされて形成され、所定間隔を開けて対向状に配されており、両フランジ１１Ａ，１２Ａの間に合成樹脂製の接続枠２５が嵌められて接続されている。
【００１２】
より詳細には、外箱１１のフランジ１１Ａと、内箱１２のフランジ１２Ａとの互いに対向した端縁には、それぞれ断熱材１４の充填空間１３側に向けて直角曲げされた折曲部２２が形成されている。一方、接続枠２５は、上記のように合成樹脂材の押出成形によって形成され、両フランジ１１Ａ，１２Ａの外表面にわたって当接可能なやや厚肉の枠本体２６を備えており、その裏面から支持部２７が直角姿勢で立てられ、さらに支持部２７の突出端に、先端に爪部２９を設けた一対の係合片２８が内外に延出して形成されている。  
そして、枠本体２６が両フランジ１１Ａ，１２Ａの外表面にわたって密着し、また両係合片２８の爪部２９がそれぞれ対応する折曲部２２の先端に弾性的に係止することによって、接続枠２５は、外箱１１と内箱１２のフランジ１１Ａ，１２Ａの間を塞いだ状態で、強固に取り付けられている。
【００１３】
上記した前面開口部２０における間口方向の中央部には、詳しくは後記するように、縦向きの仕切枠３０が上下の周面２１の間に差し渡されて取り付けられ、左右２個の出入口３１が形成されている。両出入口３１には、一対の断熱扉３２が、観音開き式の揺動開閉可能に装着されている。各断熱扉３２の裏面側の周縁には、図９に参照して示すように、マグネット３４が埋設されたパッキン３３が嵌着され、閉扉時には、パッキン３３が出入口３１の表面側の周縁に吸着されてシールされるようになっている。
【００１４】
断熱箱体１０（冷蔵庫本体）の正面から見た左側部には、機械室３６が設けられている。機械室３６内の上部には、冷蔵室１５と連通した断熱性の冷却器室３７が張り出し形成されて、冷却器３８並びに庫内ファン３９が収容され、一方、機械室３６内の下部側のスペースには冷凍装置４０が収容されて、上記の冷却器３８と冷媒配管により循環接続されている。  
冷却運転に伴い、冷凍装置４０並びに庫内ファン３９が駆動されると、図１の矢線に示すように、冷蔵室１５内の空気が冷却器３８の下部側に設けられた取入口４１から吸引され、冷却器３８を流通して冷気に変換されたのち、庫内ファン３９から冷蔵室１５の天井面側に吹き出されるように循環供給され、冷蔵室１５内が冷却される。そして、断熱扉３２が開閉されつつ、冷蔵室１５内に貯蔵物が出し入れされて収納されるようになっている。
【００１５】
次に、仕切枠３０の取付構造を説明する。  
断熱箱体１０の前面開口部２０における上下の周面２１では、接続枠２５が２本に分割され、図５及び図８に示すように、所定間隔を開けて装着されている。言い換えると、上下の周面２１における仕切枠３０の取付位置では、接続枠２５が長さ方向の中央部で分断され、枠本体２６の両分断端面２６Ａの間に所定幅の取付溝４５が形成されている。この取付溝４５の溝底では、外箱１１と内箱１２のフランジ１１Ａ，１２Ａが露出した状態にある。
【００１６】
仕切枠３０は、図４及び図９に示すように、前面枠５０とカバー６０と断熱材７０とを備えている。  
前面枠５０は、ステンレス鋼板等の磁性金属板をプレス成形して形成されており、縦長の前面板５１の左右両側縁から側面板５２が後方に直角曲げされ、もって後方に開口したコ字形断面に形成されている。前面板５１の幅は取付溝４５の幅に匹敵する寸法であり、したがって左右の側面板５２が、取付溝４５の左右の側壁（分断端面２６Ａ）内に緊密に嵌るようになっている。なお、側面板５２の奥行寸法は、仕切枠３０全体の半分弱程度である。両側面板５２には、それぞれ上下２箇所ずつにおいて、係止突起５３が叩き出しによって形成され、手前側の面が切り立った係止面５３Ａに、奥側の面が斜めのガイド面５３Ｂとなっている。
【００１７】
一方、前面板５１すなわち前面枠５０の長さ（高さ）Ｘは、外箱１１側の上下のフランジ１１Ａ（内箱１２側の上下のフランジ１２Ａも同じ）の対応間隔に匹敵する寸法である。前面板５１の上下両端には、それぞれ後方に直角曲げされた取付板５５が形成されている。なお、取付板５５の左右両端部には補強板５６が下または上向きに直角曲げされ、左右の側面板５２の上端部または下端部の裏側に重ねられてスポット溶接で固定され、補強がなされている。すなわち、前面枠５０の上下の取付板５５が、外箱１１側の上下のフランジ１１Ａの間に緊密に嵌るようになっている。  
上下の取付板５５の左右両端部には、ねじ５７の挿通孔５８が開口されているとともに、外箱１１の上下のフランジ１１Ａにおける取付溝４５内に露出した部分では、対応位置にねじ孔４７が形成されている。
【００１８】
カバー６０は、合成樹脂材の押出成形によって形成されており、全体としては、後面板６１の左右両側縁から側面板６２が前方に向けて直角に形成され、前方に開口したコ字形断面に形成されている。ここで、カバー６０の後面板６１の幅は、前面枠５０の前面板５１のそれよりも若干大きく、また、カバー６０の側面板６２の奥行寸法は、前面枠５０の側面板５２のそれの２倍強である。  
ここで、カバー６０の長さＹ（高さ）は、前面枠５０の長さＸよりも、接続枠２５の枠本体２６の厚さの２倍の寸法だけ短く形成されている。ただし、後面板６１の幅方向の中央部における上記した取付溝４５の幅寸法に相当する領域では、上縁と下縁とが延出され、両延出部６１Ａの端縁間の長さが、前面枠５０の長さＸと同じに設定されている。よって、カバー６０は、左右の側面板６２から後面板６１の端部にわたる部分が、上下の取付溝４５における表面側の溝縁の間に緊密に嵌り、後面板６１の上下の延出部６１Ａが取付溝４５内に嵌りつつ、内箱１２側の上下のフランジ１２Ａの間に緊密に嵌るようになっている。
【００１９】
カバー６０の内部では、その奥側の領域において、仕切壁６４で区画された合計５個の空気室６５が左右対称形に形成されている。中央の空気室６５Ａが最も幅広で、その両側の空気室６５Ｂが、それよりも少し幅が狭く形成されている。両端の空気室６５Ｃはごく幅狭であり、その一方で前面が手前側に突出している。この空気室６５Ｃの前面が、上記した前面枠５０の側面板５２の後縁、並びに断熱材７０を当てるストッパ面６６となっており、言い換えると、カバー６０内におけるストッパ面６６から手前の領域が、前面枠５０並びに断熱材７０の嵌着領域となっている。
【００２０】
上記した嵌着領域における両側面板６２は、弾性的に開閉可能となっており、両側面板６２の先端側における対向した面には、それぞれ２条のリブ６７が間隔を開けて形成され、前面枠５０の両側面板５２を弾性的に挟持可能となっている。特に奥側のリブ６７Ａは、前面枠５０の係止突起５３に係止可能となっている。また図９に示すように、嵌着領域の側面板６２の奥行寸法は、前面枠５０の側面板５２のそれよりも、前面枠５０（前面板５１）の板厚分小さく形成されている。  
断熱材７０は、発泡ウレタン等の発泡樹脂等によって、前面枠５０の内部にほぼ緊密に嵌る厚板状に予め成形されている。
【００２１】
また、カバー６０の後面板６１の表面（外面）には、左右両側の２位置に、棚柱７５が取り付けられるようになっている。棚柱７５は、ステンレス鋼板等をプレス成形することにより、断面台形で両裾から当て板７６を張り出して設けた縦長形状に形成され、その表面には、棚網９２を支持すべく棚受金（図示せず）を着脱可能に掛止する掛止孔７７が、複数個所定のピッチで開口されている。表面の上下両端部には、奥側が窄んだ取付部７８が凹み形成され、底面にリベット孔７９が形成されている。
【００２２】
棚柱７５は、カバー６０の後面板６１の裏面（内面）側に配された裏板８０との間に、リベット８２を打ち込むことで固定されるようになっている。裏板８０は、金属板製であって、カバー６０の全高に等しい長さ寸法を有するとともに、上記した空気室６５のうちの、中間位置の２つの空気室６５Ｂにおける底面（後面板６１の裏面）側の幅寸法と、ほぼ等しい幅寸法を有している。この裏板８０の上下両端部の所定位置にはリベット孔８１が開口されているとともに、空気室６５Ｂの底面にも、リベット８２の挿通孔６８がリベット孔７９と対応して形成されている。また、両空気室６５Ｂの側面には、後面板６１との間で裏板８０を挟むようにして摺動案内可能なレール６９が突設されている。
【００２３】
棚柱７５は、以下のようにして取り付けられる。裏板８０が、レール６９の内側に嵌められつつ、空気室６５Ｂの底面に沿って差し込まれ、裏板８０の両リベット孔８１が空気室６５Ｂの挿通孔６８と整合される。次に、棚柱７５が後面板６１の表面に当てられ、上下のリベット孔７９が対応する挿通孔６８と整合される。そして、棚柱７５のリベット孔７９から裏板８０のリベット孔８１にわたってリベット８２が打ち込まれることで、棚柱７５が後面板６１の左右２箇所の所定位置にそれぞれ固定される。
【００２４】
続いて、仕切枠３０の取付手順の一例を説明する。  
前面枠５０側では、前面板５１の裏面に結露防止用のコードヒータ８５が予め張られる。コードヒータ８５は例えば、前面板５１の裏面における左右の領域のいずれか一方の上端側から下がり、下端部で回曲されて反対側の領域を立ち上がるように配線され、テープ等で貼り付けられる。一方、カバー６０には、既述した要領により、２本の棚柱７５が予め取り付けられる。
【００２５】
取り付けに当たっては、まずコードヒータ８５を装着した前面枠５０が取り付けられる。前面枠５０は、図５の矢線に示すように、その上下両端部を、前面開口部２０の上下の周面２１に形成された取付溝４５内に嵌めつつ、前方から押し込まれる。前面板５１が、前面開口部３０の表側の口縁と面一となったところで押し込みが停止される。このとき、前面枠５０の上下の取付板５５は、外箱１１側の上下のフランジ１１Ａに面接触した状態で挟まれ、併せて取付板５５の挿通孔５８とフランジ１１Ａのねじ孔４７とが整合する。
係る状態から、上下の取付板５５の挿通孔５８にねじ５７を通して対応するフランジ１１Ａのねじ孔４７に螺合し、これをねじ込むことによって、前面枠５０の上下両端部が上下の周面２１に取り付けられたことになる。続いて、前面枠５０の内部に、断熱材７０が庫内側から嵌められる。
【００２６】
最後に、棚柱７５が取り付けられたカバー６０が、庫内側から前面枠５０の後面側に対して嵌められる。カバー６０は、左右の側面板６２の上下両縁を、上下の取付溝４５における表面側の溝縁の間で挟みつつ前方に押し込まれ、押し込みの終盤では、側面板６２の先端のリブ６７が前面枠５０の係止突起５３のガイド面５３Ｂに乗り上げることで、側面板６２の先端側が開き方向に撓み変形し、カバー６０のストッパ面６６が、前面枠５０の側面板５２の後縁に当たったところで押し込みが停止される。そのとき図９に示すように、両リブ６７が係止突起５３を通過することで側面板６２が復元変形し、奥側のリブ６７Ａが係止突起５３の係止面５３Ａに係止し、カバー６０は、両側面板６２の先端のリブ６７が、前面枠５０の側面板５２の基端側を挟んだ状態で、後方へ抜け止めされて取り付けられる。
【００２７】
この取付状態では、図９に示すように、カバー６０の左右の側面板６２の先端が、前面枠５０の前面板５１よりも少し奥に控えた位置にあり、またカバー６０の後面板６１は、図７に示すように、その上下の延出部６１Ａが取付溝４５の後端まで面一に進入し、併せて内箱１２側の上下のフランジ１２Ａの間で挟まれた状態となる。  
一方、仕切枠３０の側面側、特にその手前側では、図８に示すように、カバー６０の側面板６２の上下両端部よりも、前面枠５０の側面板５２の上下両端部が突出した段差部９０が形成されたことになり、この段差部９０が、接続枠２５の取付溝４５からその表面側の溝縁にわたって隙間無く嵌った状態となる。なお、カバー６０の側面板６２の上下両縁は、上下の取付溝４５における表面側の溝縁の間で挟持されるが、寸法公差等でやむを得ず隙間ができる場合は、この部分だけにはコーキング材を塗布するようにしてもよい。
【００２８】
上記のように仕切枠３０が組み付けられると、仕切枠３０は左右の出入口３１の内側の縦縁を構成し、断熱扉３２が閉鎖された場合に、その裏面に嵌着されたパッキン３３が前面枠５０における前面板５１に吸着されて密閉される。一方、冷蔵室１５内では、仕切枠３０の後面並びに冷蔵室１５の壁面に装着された棚柱７５にわたって、棚網９２が張られて使用されるところとなる。
【００２９】
本実施形態によれば、以下ような数々の利点を得ることができる。  
前面枠５０を取り付ける際、その上下両端部を接続枠２５に形成された取付溝４５に嵌めるだけで、簡単に位置決めすることができる。  
仕切枠３０が取り付けられたのちは、同仕切枠３０が、断熱扉３２の自由端を受けることに機能するが、金属製の前面枠５０の取付板５５が、金属製の外箱１１のフランジ１１Ａに直接に当てられてねじ５７で締結されているとともに、仕切枠３０の上下両端に形成された段差部９０、言い換えると前面枠５０の側面板５２の上下に突出した端縁が、接続枠２５の取付溝４５内に緊密に嵌っているのであるから、断熱扉３２の開閉等に伴う衝撃力により仕切枠３０に対して縦軸回りの回転力が作用した場合に、前面枠５０の取付板５５と、外箱１１のフランジ１１Ａといった金属同士の擦り合いとなるために摩擦抵抗が大きく、また取付溝４５に段差部９０が嵌ることで回り止めにも機能するから、仕切枠３０の縦軸回りの回転が抑制される。そのため、ねじ５７の締結部分等が損傷を受けることが防止される。
【００３０】
上記したように、前面枠５０の取付板５５を接続枠２５を介することなく直接に外箱１１のフランジ１１Ａに取り付けるようにしたことから、接続枠２５にねじの挿通孔を開口する手間が不要にできる。  
また、仕切枠３０の上下両端面を接続枠２５にべた当たりさせて取り付ける場合は、仕切枠３０の前後の面の上下両端部と、前面開口部２０の開口縁との間に、接続枠２５の厚み程度の隙間ができるため、コーキング材を塗布して隙間を埋める必要がある。  
その点本実施形態では、図７の符号Ａに示すように、仕切枠３０の前面側の上下両端部では、前面枠５０の取付板５５と外箱１１のフランジ１１Ａとが、隙間無く面接触している。また、同図の符号Ｂで示す、仕切枠３０の後面側の上下両端部でも、カバー６０の後面板６１の上下の延出部６１Ａが取付溝４５に嵌って、延出端縁が内箱１２のフランジ１２Ａに面当たりしているから、隙間ができない。  
よって、仕切枠３０の前後の面の上下両端部においてコーキング材を塗布する必要が無く、作業工程が軽減されるとともに、見栄えも向上する。
【００３１】
なお、仕切枠３０の縦軸回りの回り止めのみを期するのであれば、接続枠２５に形成した取付溝４５内に、カバー６０も含めた仕切枠３０全体の上下両端部を緊密に嵌めれば、事足りるとも言えるが、本実施形態では上記のように、仕切枠３０の側面の上下両端に敢えて段差部９０を形成して、この段差部９０を接続枠２５の取付溝４５内に緊密に嵌めた構造としている。  
これは、前面開口部２０に仕切枠３０を取り付けるに当たって、位置決めを必要とするのは、ねじ５７で止める前面枠５０であるから、取付溝４５には前面枠５０の端部のみが緊密に嵌るようにして、より正確でかつ迅速な位置決めを図るためである。また、本実施形態のように、カバー６０の両側面板６２を弾性的に開きながら、前面枠５０に対して嵌め込むものでは、カバー６０の端部まで取付溝４５に嵌めるとなると、上記の開き分を見越して、さらに取付溝４５の幅を広げる必要があって、前面枠５０の位置決めがさらにし難くなり、また、隙間を埋めるべくコーキング材を広範囲に塗布する必要が生じ、それらを回避するためである。
【００３２】
また本実施形態の仕切枠３０によれば、カバー６０内の奥側の領域に形成された空気室６５が断熱室として機能し、その前方に配された断熱材７０と合わせて、仕切枠３０の前後の面間の断熱性が確保される。また前面枠５０の側面板５２は、カバー６０内において奥行方向の途中位置までしか延びておらず、すなわち庫内の冷気から離間しているから、側面板５２を介して前面枠５０の前面板５１が冷却されることが抑えられる。その結果、前面板５１の裏面に設ける結露防止用のコードヒータ８５の容量を小さくでき、省エネルギを図ることができる。また、仕切枠３０内に入れる断熱材７０の量が少なくて済むことから、コスト低減も図ることができる。
【００３３】
一方、前面枠５０の側面板５２が短くなったことで、前面枠５０の剛性が低下する可能性があるが、カバー６０内の奥側の領域では、複数の空気室６５を形成するべく縦横に仕切壁６４が形成されているから、カバー６０側の剛性が高められ、仕切枠３０全体としての強度は確保できる。  
さらに、カバー６０の後面板６１に棚柱７５を取り付けるに当たって、後面板６１の裏側に裏板８０を配する場合に、裏板８０を所定の空気室６５Ｂの底面に沿って差し込むだけで、定位置に案内することができる。もって棚柱７５の取付作業を能率良く行うことができ、しかも、空気室６５Ｂに対して裏板８０を挿入案内する機能を兼備させたから、棚柱７５の取付部分の構造を簡素化することができる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では仕切枠の上下両端に段差部が形成された場合を例示したが、いずれか一端だけ段差部を設け、それと対応する前面開口部の一方の周面のみに、その段差部が嵌る取付溝を形成するようにしてもよい。  
（２）上記実施形態では、前面枠とカバーとがほぼ同じ奥行寸法を有し、前面枠内のほぼ全域に断熱材を収容した形式の仕切枠にも同様に適用することができる。
【００３５】
（３）カバーは前面枠に対して弾性的に被着することに限らず、ねじ止め等で結合してもよい。  
（４）前面枠の取付板は、内箱のフランジ側、または両フランジにねじ止めされるようになっていてもよい。  
（５）本発明は、断熱箱体の前面開口部に対して横向きに装着されて、同前面開口部を上下に仕切るタイプの仕切枠にも同様に適用できる。したがって、上記実施形態に例示した横型冷蔵庫に限らず、縦型の冷却貯蔵庫や、さらには温蔵庫等、要は貯蔵庫本体を構成する断熱箱体の前面開口部を仕切枠により仕切るようにしたもの全般に広く適用することができる。
【図面の簡単な説明】
【００３６】
【図１】本発明の一実施形態に係る冷蔵庫の正面図
【図２】その平断面図
【図３】前面開口部の下側の周面部分の断面図
【図４】仕切枠の分解斜視図
【図５】前面枠の取付動作を示す斜視図
【図６】仕切枠の取付完了状態の部分斜視図
【図７】その縦断面図
【図８】その正面から見た断面図
【図９】その平断面図
【符号の説明】
【００３７】
１０…断熱箱体  １１…外箱  １１Ａ…フランジ（開口縁部）  １２…内箱  １２Ａ…フランジ（開口縁部）  １４…発泡断熱材  ２０…前面開口部  ２１…周面  ２５…接続枠  ２６…枠本体  ２６Ａ…分断端面  ３０…仕切枠  ３１…出入口  ４５…取付溝  ５０…前面枠  ５２…側面板  ５５…取付板  ６０…カバー  ６２…側面板  ６４…仕切壁  ６５…空気室  ７０…断熱材  ９０…段差部
【図１】
2006284064.tif 000003
【図２】
2006284064.tif 000004
【図３】
2006284064.tif 000005
【図４】
2006284064.tif 000006
【図５】
2006284064.tif 000007
【図６】
2006284064.tif 000008
【図７】
2006284064.tif 000009
【図８】
2006284064.tif 000010
【図９】
2006284064.tif 000011